(57)【要約】      （修正有）【課題】線香を自動的に消火させ、かつ、消火された後の線香の形状を、次回線香に着火する際に着火しやすいような状態にし得る線香消火具を提供する。【解決手段】所定の燃焼方向に燃焼する線香２に取り付けて使用される線香用消火具１であり、線香のうち、第１の部分を介して取り付けられる取付部３と、第１の部分よりも、燃焼方向の上流側に形成された第２の部分に接触する接触面が形成された接触部４と、を含む、線香用消火具。【選択図】図１
2018000128.tif 000002
【特許請求の範囲】
【請求項１】
所定の燃焼方向に燃焼する線香に取り付けて使用される線香用消火具であり、
前記線香のうち、第１の部分を介して取り付けられる取付部と、前記第１の部分よりも、前記燃焼方向の上流側に形成された第２の部分に接触する接触面が形成された接触部と、を含む、線香用消火具。
【請求項２】
前記線香は、長尺の線香本体が渦巻状に巻きまわされ、径方向の内側に向かって燃焼する渦巻線香であり、
前記渦巻線香は、互いに離間して設けられた外周部分と、前記外周部分の内周側に形成された内周部分とを含み、
前記取付部は、前記内周部分に形成された前記第１の部分を介して取り付けられ、
前記接触部は、前記外周部分に形成された前記第２の部分に接触する前記接触面が形成されている、請求項１記載の線香消火具。
【請求項３】
前記線香は、
前記燃焼方向が、略水平方向となるよう設置して使用される線香であり、かつ、
断面形状が、線香が設置された状態において、略水平方向に延びる一対の長辺と、略水平方向に対して略直交方向に延びる一対の短辺とからなる略矩形状であり、
前記接触部は、前記線香の前記第２の部分のうち、前記短辺を含む側面に接触する接触面が形成されている、請求項１または２記載の線香消火具。
【請求項４】
前記取付部は、前記第１の部分の少なくとも一部を覆う、請求項１〜３のいずれか１項に記載の線香消火具。
【請求項５】
前記線香は、前記燃焼方向が、略水平方向となるよう設置して使用される線香であり、
前記取付部は、線香が設置された状態において、前記第１の部分の少なくとも上面の一部を覆う、請求項１〜４のいずれか１項に記載の線香消火具。
【請求項６】
前記取付部は、線香が設置された状態において、前記第１の部分の少なくとも上面の一部と下面の一部とを覆う、請求項５記載の線香消火具。
【請求項７】
前記取付部は、線香が設置された状態において、前記第１の部分の全周面を覆う、請求項５または６記載の線香消火具。
【請求項８】
線香消火具は、断面形状が略Ｃ字状であり、
前記取付部と前記接触部とを接続する延設部をさらに含み、
前記取付部および前記接触部は、前記延設部の両端から前記延設部に対して略同方向に向くように折り曲げられた、請求項１〜４のいずれか１項に記載の線香消火具。
【請求項９】
前記取付部は、
平板状の平板部と、
前記平板部の幅方向の両端にそれぞれ設けられ、前記平板部の両端から前記平板部に対して略同方向に向くように折り曲げられた第１の折曲部および第２の折曲部と、からなる、請求項１〜７のいずれか１項に記載の線香消火具。
【請求項１０】
前記第２の折曲部から、前記平板部の幅方向と略直交する方向に沿って延設された延設部をさらに含む、請求項９記載の線香消火具。
【請求項１１】
前記平板部から、前記平板部の幅方向と略直交する方向に沿って延設された延設部をさらに含む、請求項９記載の線香消火具。
【請求項１２】
前記延設部は、前記平板部から、前記第１の折曲部および前記第２の折曲部の折り曲げられた方向とは反対の方向に立ち上げられている、請求項１１記載の線香消火具。
【請求項１３】
前記延設部は、前記平板部から最も立ち上げられた頂部を含み、
前記頂部は、前記線香のうち、第１の部分および前記第２の部分とは異なる第３の部分に押し当てられる部位であり、
前記先端部の接触面は、前記頂部が前記第３の部分に押し当てられることにより生じる反力を受けて、前記第２の部分に押し当てられる、請求項１２記載の線香消火具。
【請求項１４】
前記線香に取り付けられる際に把持される把持部がさらに設けられている、請求項１〜１３のいずれか１項に記載の線香消火具。
【請求項１５】
前記取付部は、前記第１の部分に接触する面に、第１の部分と取付部との相対移動を抑止するための滑り止め部が設けられている、請求項１〜１４のいずれか１項に記載の線香消火具。
【発明の詳細な説明】
【技術分野】
【０００１】
本発明は、線香消火具に関する。より詳細には、本発明は、線香を自動的に消火させ、かつ、消火された後の線香の形状を、次回線香に着火する際に着火しやすいような状態にし得る線香消火具に関する。
【背景技術】
【０００２】
線香は、その性質上、一度着火されると燃え尽きるまで自動的に燃焼を続ける。燃焼を停止させる手段として、線香の先端を折離する方法や、線香の先端を水漬する方法などが知られている。また、自動的に線香の燃焼を停止させるための線香消火具が各種提案されている（たとえば特許文献１〜６）。
【先行技術文献】
【特許文献】
【０００３】
【特許文献１】実開昭５１−２２５４４号公報
【特許文献２】実用新案登録第３１２２５９９号公報
【特許文献３】特開２００３−１９９４７５号公報
【特許文献４】実開昭４９−３８４９号公報
【特許文献５】実開昭５１−４０４４５号公報
【特許文献６】実開昭５１−１００５７号公報
【発明の概要】
【発明が解決しようとする課題】
【０００４】
しかしながら、特許文献１〜６に記載の線香消火具は、いずれも、線香消火具を取り付けた位置において線香の燃焼を妨げ、消火するための消火具である。このような取付位置において線香を消火する線香消火具によって消火された線香は、次回、引続き線香を使用するために着火する際に、着火されにくいという問題がある。
【０００５】
本発明は、このような従来の課題に鑑みてなされたものであり、線香を自動的に消火させ、かつ、消火された後の線香の形状を、次回線香に着火する際に着火しやすいような状態にし得る線香消火具を提供することを目的とする。
【課題を解決するための手段】
【０００６】
本発明者は、線香が再着火されにくい理由に関して考察したところ、消火後の線香の先端形状が平らであることが主な要因であることを突き止めた。そして、線香の先端形状が幾らか尖るように消火させることができれば、再着火性を改善し得ることに着目し、本発明を完成させた。上記課題を解決する本発明には、以下の構成が主に含まれる。
【０００７】
（１）所定の燃焼方向に燃焼する線香に取り付けて使用される線香用消火具であり、前記線香のうち、第１の部分を介して取り付けられる取付部と、前記第１の部分よりも、前記燃焼方向の上流側に形成された第２の部分に接触する接触面が形成された接触部と、を含む、線香用消火具。
【０００８】
このような構成によれば、線香消火具は、取付部が線香の第１の部分に取り付けられる。また、線香消火具は、接触部の接触面が第１の部分よりも燃焼方向の上流側に形成された第２の部分と接触する。これにより、線香は、接触面にて燃焼の進行が妨げられる。また、この際、線香は、接触面の接触していた箇所と反対側の箇所に関しては、いくらか燃焼が進行した後に消火される。その結果、消火後の線香の形状は、尖る。このように尖った先端において、線香は、燃焼前と比較して、乾燥している。そのため、線香は、適度に乾燥しており、かつ、尖っている先端を有するため、再着火されやすい。
【０００９】
（２）前記線香は、長尺の線香本体が渦巻状に巻きまわされ、径方向の内側に向かって燃焼する渦巻線香であり、前記渦巻線香は、互いに離間して設けられた外周部分と、前記外周部分の内周側に形成された内周部分とを含み、前記取付部は、前記内周部分に形成された前記第１の部分を介して取り付けられ、前記接触部は、前記外周部分に形成された前記第２の部分に接触する前記接触面が形成されている、（１）記載の線香消火具。
【００１０】
このような構成によれば、線香消火具は、取付部が内周部分の第１の部分に取り付けられ、接触部の接触面を外周部分の第２の部分に接触させることにより、適切に渦巻線香を消火することができる。
【００１１】
（３）前記線香は、前記燃焼方向が、略水平方向となるよう設置して使用される線香であり、かつ、断面形状が、線香が設置された状態において、略水平方向に延びる一対の長辺と、略水平方向に対して略直交方向に延びる一対の短辺とからなる略矩形状であり、前記接触部は、前記線香の前記第２の部分のうち、前記短辺を含む側面に接触する接触面が形成されている、（１）または（２）記載の線香消火具。
【００１２】
このような構成によれば、線香消火具は、線香の短辺側の側面に接触部を接触させ、消火する。これにより、線香消火具は、たとえば長辺側に接触部を接触させて消火する場合と比べて、線香を消火しやすい。また、消火後の線香は、先端が尖りやすく、再着火されやすい。
【００１３】
（４）前記取付部は、前記第１の部分の少なくとも一部を覆う、（１）〜（３）のいずれかに記載の線香消火具。
【００１４】
このような構成によれば、取付部は、第１の部分に取り付けられやすく、安定に位置決めされやすい。
【００１５】
（５）前記線香は、前記燃焼方向が、略水平方向となるよう設置して使用される線香であり、前記取付部は、線香が設置された状態において、前記第１の部分の少なくとも上面の一部を覆う、（１）〜（４）のいずれかに記載の線香消火具。
【００１６】
このような構成によれば、取付部は、第１の部分に取り付けられた際に、より安定に位置決めされやすい。
【００１７】
（６）前記取付部は、線香が設置された状態において、前記第１の部分の少なくとも上面の一部と下面の一部とを覆う、（５）記載の線香消火具。
【００１８】
このような構成によれば、取付部は、第１の部分に取り付けられた際に、より安定に位置決めされやすい。
【００１９】
（７）前記取付部は、線香が設置された状態において、前記第１の部分の全周面を覆う、（５）または（６）記載の線香消火具。
【００２０】
このような構成によれば、取付部は、第１の部分に取り付けられた際に、さらに安定に位置決めされやすい。
【００２１】
（８）線香消火具は、断面形状が略Ｃ字状であり、前記取付部と前記接触部とを接続する延設部をさらに含み、前記取付部および前記接触部は、前記延設部の両端から前記延設部に対して略同方向に向くように折り曲げられた、（１）〜（４）のいずれかに記載の線香消火具。
【００２２】
このような構成によれば、たとえば線香が渦巻線香である場合において、線香消火具は、渦巻線香の外周部分と内周部分とに挟持されるように、取り付けられ得る。
【００２３】
（９）前記取付部は、平板状の平板部と、前記平板部の幅方向の両端にそれぞれ設けられ、前記平板部の両端から前記平板部に対して略同方向に向くように折り曲げられた第１の折曲部および第２の折曲部と、からなる、（１）〜（７）のいずれかに記載の線香消火具。
【００２４】
このような構成によれば、取付部は、平板部、第１の折曲部および第２の折曲部によって、線香の第１の部分を覆うように安定に取り付けられ得る。
【００２５】
（１０）前記第２の折曲部から、前記平板部の幅方向と略直交する方向に沿って延設された延設部をさらに含む、（９）記載の線香消火具。
【００２６】
このような構成によれば、たとえば延設部に接触部が設けられることにより、延設部を適宜湾曲等させることにより、接触部を適宜線香の第２の部分に接触させ得る。これにより、線香消火具は、消火すべき線香の位置を調整しやすい。また、延設部は、第２の折曲部から延設されている。そのため、このような線香消火具は、特に線香消火具の平板部が線香の上面に取り付けられる場合に、好適に使用されやすい。
【００２７】
（１１）前記平板部から、前記平板部の幅方向と略直交する方向に沿って延設された延設部をさらに含む、（９）記載の線香消火具。
【００２８】
このような構成によれば、たとえば延設部の先端に接触部が設けられることにより、延設部を適宜湾曲等させることによって、接触部を適宜線香の第２の部分に接触させ得る。これにより、線香消火具は、消火すべき線香の位置を調整しやすい。また、延設部は、平板部から延設されている。そのため、このような線香消火具は、特に線香消火具の平板部が線香の側面に取り付けられる場合に、好適に使用されやすい。
【００２９】
（１２）前記延設部は、前記平板部から、前記第１の折曲部および前記第２の折曲部の折り曲げられた方向とは反対の方向に立ち上げられている、（１１）記載の線香消火具。
【００３０】
このような構成によれば、たとえば延設部の先端に接触部が設けられることにより、延設部を適宜の形状に立ち上げる等によって、接触部を適宜線香の第２の部分に接触させ得る。これにより、線香消火具は、消火すべき線香の位置を調整しやすい。また、延設部は、平板部から延設されている。そのため、このような線香消火具は、特に線香消火具の平板部が線香の側面に取り付けられる場合に、好適に使用されやすい。
【００３１】
（１３）前記延設部は、前記平板部から最も立ち上げられた頂部を含み、前記頂部は、前記線香のうち、第１の部分および前記第２の部分とは異なる第３の部分に押し当てられる部位であり、前記先端部の接触面は、前記頂部が前記第３の部分に押し当てられることにより生じる反力を受けて、前記第２の部分に押し当てられる、（１２）記載の線香消火具。
【００３２】
このような構成によれば、延設部は、平板部から最も立ち上げられた頂部を含む。また、頂部は、線香のうち、第１の部分および第２の部分とは異なる第３の部分に押し当てられる部位である。そのため、先端部の接触面は、頂部が第３の部分に押し当てられることにより生じる反力を受けて、第２の部分に押し当てられる。その結果、線香消火具は、より確実に接触部を第２の部分に接触させることができる。したがって、線香は、より確実に消火され得る。
【００３３】
（１４）前記線香に取り付けられる際に把持される把持部がさらに設けられている、（１）〜（１３）のいずれかに記載の線香消火具。
【００３４】
このような構成によれば、把持部は、使用者によって把持され得る。これにより、線香消火具は、容易に持ち運ばれたり、線香に取り付けたり、取り外したりする操作が行われやすい。
【００３５】
（１５）前記取付部は、前記第１の部分に接触する面に、第１の部分と取付部との相対移動を抑止するための滑り止め部が設けられている、（１）〜（１４）のいずれかに記載の線香消火具。
【００３６】
このような構成によれば、線香消火具は、滑り止め部によって、取付部と第１の部分との相対移動が抑止され得る。その結果、線香消火具は、線香に対して適切に取り付けられ、位置決めされ得る。
【発明の効果】
【００３７】
本発明によれば、線香を自動的に消火させ、かつ、消火された後の線香の形状を、次回線香に着火する際に着火しやすいような状態にし得る線香消火具を提供することができる。
【図面の簡単な説明】
【００３８】
【図１】図１は、本発明の一実施形態（第１の実施形態）の線香消火具の使用状態を説明するための模式的な斜視図である。
【図２】図２は、本発明の一実施形態（第１の実施形態）の線香消火具の模式的な断面図である。
【図３】図３は、本発明の一実施形態（第１の実施形態）の線香消火具の使用状態における模式的な断面図である。
【図４】図４は、本発明の一実施形態（第１の実施形態）の線香消火具の別の使用状態を説明するための模式的な断面図である。
【図５】図５は、本発明の一実施形態（第１の実施形態）の線香消火具の別の使用状態を説明するための模式的な断面図である。
【図６】図６は、本発明の一実施形態（第１の実施形態）の線香消火具によって消火された線香の先端の写真である。
【図７】図７は、本発明の一実施形態（第２の実施形態）の線香消火具の模式的な展開図である。
【図８】図８は、本発明の一実施形態（第２の実施形態）の線香消火具の模式的な平面図である。
【図９】図９は、本発明の一実施形態（第２の実施形態）の線香消火具の使用状態を説明するための模式的な平面図である。
【図１０】図１０は、本発明の一実施形態（第２の実施形態）の線香消火具の別の使用状態を説明するための模式的な平面図である。
【図１１】図１１は、本発明の一実施形態（第３の実施形態）の線香消火具の模式的な展開図である。
【図１２】図１２は、本発明の一実施形態（第３の実施形態）の線香消火具の模式的な平面図である。
【図１３】図１３は、本発明の一実施形態（第３の実施形態）の線香消火具の模式的な側面図である。
【図１４】図１４は、本発明の一実施形態（第３の実施形態）の線香消火具の使用状態を説明するための模式的な平面図である。
【図１５】図１５は、本発明の一実施形態（第３の実施形態）の線香消火具の別の使用状態を説明するための模式的な平面図である。
【図１６】図１６は、本発明の一実施形態（第３の実施形態）の線香消火具の変形例の使用状態を説明するための模式的な平面図である。
【図１７】図１７は、本発明の一実施形態（第４の実施形態）の線香消火具の使用状態を説明するための模式的な断面図である。
【図１８】図１８は、本発明の一実施形態（第５の実施形態）の線香消火具の使用状態を説明するための模式的な断面図である。
【図１９】図１９は、把持部の設けられた線香消火具の模式的な断面図である。
【図２０】図２０は、比較例１の線香消火具の模式的な斜視図である。
【図２１】図２１は、消火後の渦巻線香の先端の写真である。
【発明を実施するための形態】
【００３９】
以下、本発明の種々の実施形態の線香消火具について、図面を参照して説明する。なお、以下の実施形態において、線香消火具は、所定の燃焼方向に燃焼する線香に取り付けて使用される線香用消火具である。また、線香消火具は、線香の所定の部分である第１の部分に取り付けられる取付部と、第１の部分よりも燃焼方向の上流側に形成された第２の部分に接触する接触面が形成された接触部とを含む。これにより、線香消火具は、取付部とは異なる位置である接触部を、取付部の取付位置（第１の部分）よりも上流側である第２の部分に接触させて、第２の部分における燃焼を妨げることにより、線香の先端形状が尖るように消火することを特徴とする。本発明の線香消火具は、このような作用を奏する構成であれば特に限定されない。そのため、以下の実施形態は、いずれも例示であり、適宜設計変更が可能である。
【００４０】
＜第１の実施形態＞
本発明の一実施形態の線香消火具について、図面を参照して詳細に説明する。図１は、本実施形態の線香消火具１の使用状態を説明するための模式的な斜視図である。図２は、本実施形態の線香消火具１の模式的な断面図である。図３は、本実施形態の線香消火具１の使用状態における模式的な断面図である。本実施形態の線香消火具１は、線香２に取り付けて使用される。線香２の種類は特に限定されない。一例を挙げると、線香２は、棒状線香（束状のものを含む）、渦巻線香等である。図１では、線香２が渦巻線香である場合が例示されている。渦巻線香は、長尺の線香本体が渦巻状に巻きまわされ、径方向の内側に向かって燃焼する線香である。線香２は、互いに離間して設けられた外周部分２１と、外周部分２１の内周側に形成された内周部分２２とを含む。渦巻線香の断面形状は特に限定されない。一例を挙げると、渦巻線香の断面形状は、円形、矩形、多角形、不定形等であってもよい。本明細書では、説明の明瞭化のため、線香２（渦巻線香）の燃焼方向が水平方向となるよう設置される場合について例示する。また、線香２（渦巻線香）の径方向を、線香の幅方向と定義し、径方向と直交する方向を、厚み方向（上下方向）と定義する。さらに、本明細書では、説明の明瞭化のため、線香の断面形状が矩形状である場合について例示する。具体的には、このような線香の断面形状は、設置された状態において、略水平方向に延びる一対の長辺と、略水平方向に対して略直交方向に延びる一対の短辺とからなる略矩形状である。なお、線香２の外周部分２１は、必ずしも最外周を意味するものではない。すなわち、外周部分２１は、内周部分２２に対して外周側に形成された部分であればよい。
【００４１】
本実施形態の線香消火具１は、図２および図３に示されるように、断面形状が略Ｓ字状となるよう加工されている。線香消火具１は、線香２の内周部分２２に形成された第１の部分２３に取り付けられる取付部３と、線香２の外周部分２１に形成された第２の部分２４に接触する接触面４１が形成された接触部４と、取付部３と接触部４とを接続する延設部５とを含む。
【００４２】
より具体的には、取付部３は、第１の部分２３のうち、線香２の上面を覆うよう取り付けられる平板状の平板部３１と、平板部３１の幅方向の両端にそれぞれ設けられ、平板部３１の両端から平板部３１に対して略同方向に向くように折り曲げられる第１の折曲部３２および第２の折曲部３３とからなる断面Ｃ字状の部位である。第１の折曲部３２は、線香２の第１の部分２３の側面のうち、内周側の側面を覆う部位である。第１の折曲部３２は、平板部３１と接続される一端と、平板部３１から略直交する方向に延設される他端とを有する。第２の折曲部３３は、線香２の第１の部分２３の側面のうち、外周側の側面を覆う部位である。第２の折曲部３３は、平板部３１と接続される一端と、平板部３１から略直交する方向に延設され、後述する延設部５の一端に接続される他端とを有する。
【００４３】
なお、取付部３は、平板部３１と線香２の上面とが接触しないように取り付けられてもよく（図３参照）、平板部３１と線香２の上面とが接触するように取り付けられてもよい。図４は、本実施形態の線香消火具１の別の使用状態を説明するための模式的な断面図である。図４に示される使用状態において、取付部３は、平板部３１によって線香２の上面を覆い、第１の折曲部３２および第２の折曲部３３によって線香２の両側面を覆うよう取り付けられる。その結果、線香消火具１は、より安定して線香２に取り付けられ得る。
【００４４】
図５は、本実施形態の線香消火具１の別の使用状態を説明するための模式的な断面図である。図５に示されるように、第１の折曲部３２は、先端が線香２の下面を覆うようさらに折り曲げられることにより、線香２の全周面を覆うよう構成されてもよい。この場合、線香消火具１は、さらに安定して線香２に取り付けられやすい。
【００４５】
延設部５は、取付部３と接触部４とを接続する部位である。延設部５は、平板状であり、第２の折曲部３３の他端に接続された一端と、後述する接触部４の一端に取り付けられた他端とを有する。延設部５の長さ（取付部３と接触部４との離間距離に相当）は、線香２の第１の部分２３および第２の部分２４の離間距離よりもわずかに大きい。そのため、線香消火具１は、第２の折曲部３３と第１の部分２３の外周側面とが接触し、かつ、接触部４と第２の部分２４の内周側面とが接触するように、第１の部分２３および第２の部分２４の間隙に挿入されることにより、線香２に取り付けられることとなる。なお、上記取付部３と接触部４との離間距離は、特に限定されない。離間距離が５．０〜９．０ｍｍ程度である場合には、延設部５の長さは、５．０〜１０．０ｍｍ程度である。
【００４６】
接触部４は、第２の部分２４に接触する接触面４１が形成された部位である。接触部４は、平板状であり、延設部５の他端と接続された一端と、延設部５から上方に延設された他端とを有する。図３に示されるように、接触部４は、線香２の第２の部分２４の内周側面と接触する面（接触面４１）を有する。接触部４の長さ（一端から他端までの長さ）は、線香２の厚み以上であることが好ましい。これにより、第２の部分２４が燃焼する際に、接触部４が接触している位置において、線香２は、燃焼が妨げられやすい。その結果、消火された線香２の形状は、尖りやすい。なお、上記線香２の厚みは、特に限定されない。一例を挙げると、線香２の厚みは、３．０〜４．５ｍｍ程度である。これに対し接触部４の高さ（線香２の厚み方向の長さ）は、３．０〜７．０ｍｍ程度であればよい。また、上記のとおり、本実施形態の線香消火具１は、線香消火具１の接触部４が、線香２の内周側面（線香２の矩形断面における短辺側）に接触している。そのため、本実施形態の線香消火具１は、たとえば線香２の長辺側（上面等）のみに接触部４を接触させて消火する場合（図示せず）と比べて、線香２を消火しやすく、消火後の線香２の先端形状を尖らせやすい。
【００４７】
図６は、本実施形態の線香消火具１によって消火された線香２の先端の形状の写真である。図６に示されるように、線香２は、接触部４の接触していた箇所（第２の部分２４の内周側面）よりも、反対側（第２の部分２４の外周側面）のほうが、いくらか燃焼が進行した後に消火される。その結果、消火後の線香２の先端形状は、尖る。このように尖った先端において、線香２は、燃焼前と比較して、乾燥している。その結果、線香２は、尖った先端が着火されることにより、着火されやすい。この際、本実施形態の線香消火具１によって形成された線香２の先端は、適度に乾燥されているため、たとえば単に線香の先端が尖るよう切断する場合等と比較して、より再着火されやすい。
【００４８】
線香消火具１全体の説明に戻り、線香消火具１の材質は、燃焼する線香２によって燃えないものであればよい。このような線香消火具１の材質としては、鉄、ステンレス、アルミニウム等の金属、不燃性のセラミック、プラスチック、ガラス繊維、ロックウール、炭素繊維やゼオライト、珪藻土、非晶質シリカ、粘土鉱物カオリン、鹿沼土、モンモリロナイト等のケイ酸化合物等が例示される。
【００４９】
線香消火具１の長さ（平板部３１の幅方向と直交する方向の長さ）は、線香２を適切に消火できる長さであれば特に限定されない。一例を挙げると、本実施形態の線香消火具１の長さは、２．０〜１０．０ｍｍ程度である。
【００５０】
以上、本実施形態によれば、線香２を、取付部３とは異なる接触部４において自動的に消火させることができる。また、消火後の線香２の先端形状は、適度に乾燥され、かつ、尖らせられる。その結果、線香２は、再着火されやすい。
【００５１】
＜第２の実施形態＞
本発明の一実施形態の線香消火具について、図面を参照して詳細に説明する。図７は、本実施形態の線香消火具１ａの模式的な展開図である。図８は、本実施形態の線香消火具１ａの模式的な平面図である。図９は、本実施形態の線香消火具１ａの使用状態を説明するための模式的な平面図である。本実施形態の線香消火具１ａは、成形前の展開された状態において略Ｌ字状の部材からなり（図７参照）、これが適宜折り曲げられた構成である（図８参照）。なお、以下の説明において、第１の実施形態と同様の事項（たとえば線香消火具の材質等）については適宜説明を省略する。
【００５２】
取付部３ａは、第１の部分２３のうち、線香２の上面を覆うよう取り付けられる平板状の平板部３１ａと、平板部３１ａの幅方向の両端にそれぞれ設けられ、平板部３１ａの両端から平板部３１ａに対して略同方向に向くように折り曲げられる第１の折曲部３２ａおよび第２の折曲部３３ａとからなる断面Ｃ字状の部位である。第１の折曲部３２ａは、線香２の第１の部分２３の側面のうち、内周側の側面を覆う部位である。第１の折曲部３２ａは、平板部３１ａと接続される一端と、平板部３１ａから略直交する方向に延設される他端とを有する。第２の折曲部３３ａは、線香２の第１の部分２３の側面のうち、外周側の側面を覆う部位である。第２の折曲部３３ａは、平板部３１ａと接続される一端と、平板部３１ａの幅方向と略直交する方向に延設された延設部５ａの一端に接続される他端とを有する。
【００５３】
延設部５ａは、第２の折曲部３３ａから、平板部３１ａの幅方向と略直交する方向に沿って延設された部位である。延設部５ａは、平板状であり、第２の折曲部３３ａの他端と接続された一端と、後述する接触部４ａの一端と取り付けられた他端とを有する。延設部５ａと第２の折曲部３３ａとは連続して設けられている。そのため、延設部５ａは、第２の折曲部３３ａと同様に、平板部３１ａに対して略同方向に向くように折り曲げられる。延設部５ａの長さは、線香２の第１の部分２３および第２の部分２４の離間距離よりも大きい。そのため、延設部５ａは、図９に示されるように、後述する接触部４ａを、線香２の第２の部分２４に接触させ得る。
【００５４】
接触部４ａは、第２の部分２４に接触する接触面４１が形成された部位である。接触部４ａは、平板状であり、延設部５ａの他端と接続されている。図９に示されるように、接触部４ａは、延設部５ａが線香２の第１の部分２３の外周側面から、第２の部分２４の内周側面に向かって湾曲されることにより、第２の部分２４の内周側面に押し当てられている。これにより、第２の部分２４が燃焼する際に、接触部４ａが接触している位置において、線香２は、燃焼が妨げられやすい。その結果、消火された線香２の形状は、尖りやすい。
【００５５】
延設部５ａが湾曲される際の形状は特に限定されない。図１０は、本実施形態の線香消火具１ａの別の使用状態を説明するための模式的な平面図である。このような使用状態によれば、延設部５ａは、取付前の状態（図８参照）における延設方向から、逆方向を向くよう、湾曲されている。このような状態では、延設部５ａには、取付前の状態に戻るべく復元力が蓄積されている。接触部４ａは、このような復元力によって、より強固に第２の部分２４に押し当てられている。その結果、線香消火具１ａは、より確実に、第２の部分２４における線香２の燃焼を妨げやすい。したがって、消火された線香２の形状は、より確実に尖りやすい。
【００５６】
＜第３の実施形態＞
本発明の一実施形態の線香消火具について、図面を参照して詳細に説明する。図１１は、本実施形態の線香消火具１ｂの模式的な展開図である。図１２は、本実施形態の線香消火具１ｂの模式的な平面図である。図１３は、本実施形態の線香消火具１ｂの模式的な側面図である。図１４は、本実施形態の線香消火具１ｂの使用状態を説明するための模式的な平面図である。本実施形態の線香消火具１ｂは、成形前の展開された状態において略Ｔ字状の部材からなり（図１１参照）、これが適宜折り曲げられた構成である（図１２参照）。なお、以下の説明において、第１の実施形態と同様の事項（たとえば線香消火具の材質等）については適宜説明を省略する。
【００５７】
取付部３ｂは、第１の部分２３のうち、線香２の側面を覆うよう取り付けられる平板状の平板部３１ｂと、平板部３１ｂの幅方向の両端にそれぞれ設けられ、平板部３１ｂの両端から平板部３１ｂに対して略同方向に向くように折り曲げられる第１の折曲部３２ｂおよび第２の折曲部３３ｂとからなる断面Ｃ字状の部位である。第１の折曲部３２ｂは、平板部３１ｂと接続される一端と、平板部３１ｂから略直交する方向に延設される他端とを有する。第２の折曲部３３ｂは、線香２の第１の部分２３の側面のうち、外周側の側面を覆う部位である。第２の折曲部３３ｂは、平板部３１ｂと接続される一端と、平板部３１ｂから略直交する方向に延設される他端とを有する。
【００５８】
延設部５ｂは、平板部３１ｂから、平板部３１ｂの幅方向と略直交する方向に沿って延設された部位である。延設部５ｂは、平板状であり、平板部３１ｂに接続された一端と、後述する接触部４ｂの一端に取り付けられた他端とを有する。延設部５ｂは、平板部３１ｂから、第１の折曲部３２ｂおよび第２の折曲部３３ｂの折り曲げられた方向とは反対の方向に立ち上げられている（立ち上げ部）。このように立ち上げられた延設部５ｂは、上に凸状であり、平板部３１ｂから最も立ち上げられた位置に頂部５１ｂが形成されている。なお、頂部５１ｂの形状は特に限定されない。頂部５１ｂは、図１３に示されるように尖っていてもよく、後述する図１５に示されるように湾曲していてもよい。
【００５９】
接触部４ｂは、第２の部分２４に接触する接触面４１が形成された部位である。接触部４ｂは、平板状であり、延設部５ｂの他端と接続されている。この場合、線香消火具１ｂは、図１４に示されるように、取付部３ｂが第１の部分２３に取り付けられると、接触部４ｂは、延設部５ｂを介して、第１の部分２３よりもより上流側である第２の部分２４と接触する。これにより、第２の部分２４が燃焼する際に、接触部４ｂが接触している位置において、線香２は、燃焼が妨げられやすい。その結果、消火された線香２の形状は、尖りやすい。
【００６０】
延設部５ｂが湾曲される際の形状は特に限定されない。図１５は、本実施形態の線香消火具１ｂの別の使用状態を説明するための模式的な平面図である。このような使用状態によれば、延設部５ｂは、平板部３１ｂから、比較的大きく立ち上げられている。すなわち、延設部５ｂの立ち上げ幅は、線香２の第１の部分２３および第２の部分２４の離間距離よりも大きい。その結果、延設部５ｂの頂部５１ｂは、線香２の内周部分２２の外周側面（第１の部分および第２の部分とは異なる第３の部分の一例）に押し当てられている。これにより、先端部の接触面４１は、頂部５１ｂが線香２の内周部分２２の外周側面に押し当てられることにより生じる反力を受けて、第２の部分２４に押し当てられることとなる。したがって、線香消火具１ｂは、より確実に接触部４ｂを第２の部分２４に接触させることができる。これにより、線香２は、第２の部分２４が燃焼する際に、接触部４ｂが接触している位置において、燃焼が妨げられやすく、消火された線香２の形状は、尖りやすい。
【００６１】
なお、本実施形態において、頂部５１ｂは必須ではない。図１６は、本実施形態の線香消火具の変形例の使用状態を説明するための模式的な平面図である。図１６に示されるように、本変形例の線香消火具１ｖの延設部５ｖは、線香２の第１の部分２３の外周側面から、第２の部分２４の内周側面に向かって立ち上げられている。延設部５ｖは、頂部を有していない。このような延設部５ｖは、先端に設けられた接触部４ｖを、第２の部分２４の内周側面に押し当てる。これにより、第２の部分２４が燃焼する際に、接触部４ｖが接触している位置において、線香２は、燃焼が妨げられやすい。その結果、消火された線香２の形状は、尖りやすい。
【００６２】
＜第４の実施形態＞
本発明の一実施形態の線香消火具について、図面を参照して詳細に説明する。図１７は、本実施形態の線香消火具１ｃの使用状態を説明するための模式的な断面図である。本実施形態の線香消火具１ｃは、断面形状が略Ｃ字状であり、線香２の内周部分２２に形成された第１の部分２３の外周側面を介して線香２に取り付けられる取付部３ｃと、線香２の外周部分２１に形成された第２の部分２４の内周側面と接触する接触面４１が形成された接触部４ｃと、取付部３ｃと接触部４ｃとを接続する延設部５ｃとを含む。取付部３ｃおよび接触部４ｃは、延設部５ｃの両端から延設部５ｃに対して略同方向に向くように折り曲げられた部位である。なお、以下の説明において、第１の実施形態と同様の事項（たとえば線香消火具の材質等）については適宜説明を省略する。
【００６３】
延設部５ｃの長さは、線香２の第１の部分２３および第２の部分２４の離間距離よりも大きい。そのため、延設部５ｃは、図１７に示されるように、取付部３ｃを第１の部分２３に接触させ得るとともに、接触部４ｃを第２の部分２４に接触させ得る。これにより、取付部３ｃは、第１の部分２３に対して適切に位置決めされ、取り付けられている。
【００６４】
以上、本実施形態の線香消火具１ｃは、線香２の外周部分２１と内周部分２２とに挟持されるように、取り付けられ得る。これにより、線香消火具１ｃは、接触部４ｃを第２の部分２４と接触させることができる。その結果、線香２は、第２の部分２４が燃焼する際に、接触部４ｃが接触している位置において、燃焼が妨げられやすい。したがって、消火された線香２の形状は、尖りやすい。
【００６５】
＜第５の実施形態＞
本発明の一実施形態の線香消火具について、図面を参照して詳細に説明する。図１８は、本実施形態の線香消火具１ｄの使用状態を説明するための模式的な断面図である。本実施形態の線香消火具１ｄは、線香２の内周部分２２に形成された第１の部分２３に取り付けられる取付部３ｄと、線香２の外周部分２１に形成された第２の部分２４に接触する接触面４１が形成された接触部４ｄと、取付部３ｄと接触部４ｄとを接続する延設部５ｄとを含む。
【００６６】
取付部３ｄは、第１の部分２３のうち、線香２の外周側面を覆うよう平板状の平板部３１ｄと、平板部３１ｄの厚み方向の両端にそれぞれ設けられ、平板部３１ｄの両端から平板部３１ｄに対して略同方向に向くように折り曲げられる第１の折曲部３２ｄおよび第２の折曲部３３ｄとからなる断面Ｃ字状の部位である。第１の折曲部３２ｄは、線香２の第１の部分２３の上面の少なくとも一部を覆う部位である。第２の折曲部３３ｄは、線香２の第１の部分２３の下面の少なくとも一部を覆う部位である。
【００６７】
延設部５ｄは、取付部３ｄと接触部４ｄとを接続する部位である。延設部５ｄは、平板状であり、平板部３１ｄの厚み方向の略中心付近と接続された一端と、後述する接触部４ｄの一端と取り付けられた他端とを有する。延設部５ｄの長さ（取付部３ｄと接触部４ｄとの離間距離に相当）は、線香２の第１の部分２３および第２の部分２４の離間距離よりもわずかに大きい。そのため、線香消火具１ｄは、内周部分２２と外周部分２１との間隙に挟持されるよう取り付けられ得る。
【００６８】
接触部４ｄは、第２の部分２４に内周側面に沿って接触する接触面４１が形成された部位である。接触部４ｄは、平板状であり、厚み方向の略中心付近に、延設部５ｄの他端が接続されている。
【００６９】
本実施形態の線香消火具１ｄは、取付部３ｄが、線香２の上面および下面を覆うよう取り付けられ得る。そのため、線香消火具１ｄは、より安定に、線香２に対して取り付けられ得る。また、接触部４ｄが第２の部分２４に接触していることにより、接触部４ｄが接触している位置において、線香２は、燃焼が妨げられやすい。その結果、消火された線香２の形状は、尖りやすい。
【００７０】
以上、本発明の一実施形態について、図面を参照して説明した。本発明は、たとえば次のような変形実施形態を採用することができる。
【００７１】
（１）上記実施形態の線香消火具は、使用者が使用しやすいように、把持部６が設けられてもよい。図１９は、把持部６の設けられた線香消火具１ｅの模式的な断面図である。本変形例では、一例として、第１の実施形態で詳述した線香消火具１（図２参照）に、把持部６が形成されている場合について説明する。図１９に示されるように、本変形例の線香消火具１ｅは、取付部３の上面に、把持部６が設けられている。把持部６の形状は特に限定されない。図１９では、把持部６は、取付部３の上面に取り付けられた軸部６１と、軸６１部に取り付けられた把持片６２とからなる。使用者は、たとえば把持片６２を把持することにより、線香消火具１ｅを容易に持ち運ぶことができ、かつ、線香２に取り付けたり、取り外したりする操作を行い得る。
【００７２】
なお、把持部６の材質は特に限定されない。把持部６は、燃焼する線香２の熱が伝わりにくいように、断熱性を有する部材からなることが好ましい。また、把持部６の形状は特に限定されない。把持部６は、たとえば線香消火具の任意の位置に設けられた突起等であってもよい。
【００７３】
（２）上記実施形態の線香消火具において、取付部３（図４参照）は、第１の部分２３に接触する面に、第１の部分２３と取付部３との相対移動を抑止するための滑り止め部（図示せず）が設けられてもよい。これにより、線香消火具は、滑り止め部によって、取付部３と第１の部分２３との相対移動が抑止され得る。その結果、線香消火具１は、線香２に対して適切に取り付けられ、位置決めされ得る。
【００７４】
（３）上記実施形態の線香消火具において、延設部は、概ね平板状であり、適宜湾曲等されて使用される場合について例示した。これに代えて、本発明の線香消火具の延設部は、たとえば蛇腹状に折り曲げられたり、伸縮性の優れた材料等で形成されてもよい。これにより、線香消火具は、第１の部分２３と第２の部分２４との離間距離が異なる場合（たとえば渦巻線香が使用される場合において、渦巻間のピッチが異なる場合）等において、適宜離間距離に合わせて延設部の長さを調整し得る。
【実施例】
【００７５】
以下、実施例により本発明をより具体的に説明する。本発明は、これら実施例に何ら限定されない。
【００７６】
＜実施例１＞
図１に示される線香消火具（平板部の幅：８.０ｍｍ、第１の折曲部の長さ：７.０ｍｍ、第２の折曲部の長さ：７.０ｍｍ、延設部の長さ：９.０ｍｍ、接触部の長さ：７.０ｍｍ、接触面の長さ：３.０ｍｍ（線香の厚みと同じ））を用いて、渦巻線香（商品名：ペット用アース渦巻、販売者：アース・バイオケミカル（株））に取り付けた。渦巻線香に着火し、その後、線香消火具によって消火されるまで放置した。実施例１の線香消火具によれば、尖った先端を有する渦巻線香が得られた（図６参照）。尖った部分の長さは、５.０ｍｍであった。
【００７７】
＜実施例２＞
図１７に示される線香消火具（取付部の長さ：５.０ｍｍ、延設部の長さ：９.０ｍｍ、接触部の長さ：５.０ｍｍ、接触面の長さ：３.０ｍｍ（線香の厚みと同じ））を用いて、実施例１と同じ渦巻線香に取り付けた。渦巻線香に着火し、その後、線香消火具によって消火されるまで放置した。実施例２の線香消火具によれば、実施例１と同様に、尖った先端を有する渦巻線香が得られた。尖った部分の長さは、５.０ｍｍであった。
【００７８】
＜実施例３＞
図１０に示される線香消火具（平板部の幅：８.０ｍｍ、第１の折曲部の長さ：７.０ｍｍ、第２の折曲部の長さ：７.０ｍｍ、延設部の長さ：９.０ｍｍ、接触部の長さ：７.０ｍｍ、接触面の長さ：３.０ｍｍ（線香の厚みと同じ））を用いて、実施例１と同じ渦巻線香に取り付けた。渦巻線香に着火し、その後、線香消火具によって消火されるまで放置した。実施例３の線香消火具によれば、実施例１と同様に、尖った先端を有する渦巻線香が得られた。尖った部分の長さは、５.０ｍｍであった。
【００７９】
＜比較例１＞
図２０に示される線香消火具（平板部の幅：９.０ｍｍ、第１の折曲部の長さ：５.０ｍｍ、第２の折曲部の長さ：５.０ｍｍ、延設部なし、接触部なし）を用いて、実施例１と同じ渦巻線香に取り付けた。図２０は、本比較例の線香消火具１ｆの模式的な斜視図である。渦巻線香に着火し、その後、線香消火具１ｆによって消火されるまで放置した。図２１は、消火後の渦巻線香の先端の写真である。図２１に示されるように、比較例１の線香消火具１ｆによれば、平坦な先端を有する渦巻線香が得られた。
【００８０】
＜比較例２＞
未使用の市販の渦巻線香（商品名：ペット用アース渦巻、販売者：アース・バイオケミカル（株））を準備し、先端を折り、平坦な先端を形成した。比較例２において使用した線香のみ、特に着火および消火はしなかった。
【００８１】
＜比較例３＞
上記特許文献３（特開２００３−１９９４７５号公報）の図１（ａ）に示される消火具を用いて、実施例１と同じ渦巻線香に取り付けた。渦巻線香に着火し、その後、消火具によって消火されるまで放置した。比較例３の線香消火具によれば、平坦な形状の先端を有する渦巻線香が得られた。なお、消火具の寸法は、長辺８ｍｍ、短辺５ｍｍ、長さ８ｍｍ、深さ４ｍｍのＶ字状切り込みであった。
【００８２】
実施例１〜３および比較例１〜３において得られた線香に対し、以下の方法に基づいて、再着火性を評価した。結果を表１に示す。
【００８３】
（再着火性）
外燃式ライターで、それぞれの線香の先端に火をつけ、火が付くまでの所要時間を測定した。なお、再着火してから３０分間燃焼し続けたものについてのみ、再着火が成功したものとして取り扱った（３０分以内で自然に消火されたものは、再着火ができなかったものとして取り扱った）。測定は、それぞれ５回ずつ行い、所要時間の平均を算出した。
【００８４】
【表１】
2018000128.tif 000003
【００８５】
表１に示されるように、実施例１〜３の線香消火具を用いて消火された線香は、適度に乾燥し、かつ、尖った先端を有していたため、いずれも３秒間炎にかざすだけで、再着火することができた。一方、比較例１および比較例３の線香消火具を用いて消火された線香は、７秒以上炎をかざさなければ、再着火することができなかった。また、比較例２の線香は、新品であったため、先端が適度に乾燥されておらず、１０秒炎にかざしても、再着火率が１００％となることはなかった。
【符号の説明】
【００８６】
１、１ａ、１ｂ、１ｃ、１ｄ、１ｅ、１ｆ、１ｖ  線香消火具
２  線香
２１  外周部分
２２  内周部分
２３  第１の部分
２４  第２の部分
３、３ａ、３ｂ、３ｃ、３ｄ  取付部
３１、３１ａ、３１ｂ、３１ｄ  平板部
３２、３２ａ、３２ｂ、３２ｄ  第１の折曲部
３３、３３ａ、３３ｂ、３３ｄ  第２の折曲部
４、４ａ、４ｂ、４ｃ、４ｄ、４ｅ、４ｖ  接触部
５、５ａ、５ｂ、５ｃ、５ｄ、５ｖ  延設部
６  把持部
６１  軸部
６２  把持片
【図１】
2018000128.tif 000004
【図２】
2018000128.tif 000005
【図３】
2018000128.tif 000006
【図４】
2018000128.tif 000007
【図５】
2018000128.tif 000008
【図６】
2018000128.tif 000009
【図７】
2018000128.tif 000010
【図８】
2018000128.tif 000011
【図９】
2018000128.tif 000012
【図１０】
2018000128.tif 000013
【図１１】
2018000128.tif 000014
【図１２】
2018000128.tif 000015
【図１３】
2018000128.tif 000016
【図１４】
2018000128.tif 000017
【図１５】
2018000128.tif 000018
【図１６】
2018000128.tif 000019
【図１７】
2018000128.tif 000020
【図１８】
2018000128.tif 000021
【図１９】
2018000128.tif 000022
【図２０】
2018000128.tif 000023
【図２１】
2018000128.tif 000024